(57)【要約】【課題】生ごみの処理中や非通電時および本体が傾いたとき等に、蓋体が不用意に開き、内部の生ごみがこぼれる、あるいは水蒸気が発生する等の不具合が生じること。【解決手段】生ごみ処理機本体１の蓋体５内に電磁石９を設け、本体１の非通電時、或いは本体１が傾いたとき、さらに生ごみの処理中に本体の収納容器２内が高温のとき、前記電磁石９が蓋体５と本体１を係止している尾錠体７の回動動作を規制し、蓋体５が不用意に開く事を防止し、また蓋体５内にバイメタル体１５或いは熱膨張体１９を設けた場合においては、生ごみの処理中に本体の収納容器２内が高温のとき、バイメタル体１５の湾曲或いは膨張体１９の膨張により、電磁石９が蓋体５と本体１を係止している尾錠体７の回動動作を規制し、蓋体５が不用意に開く事を防止し、構造が簡単で故障が少なく、また清潔で使い易い、安価な生ごみ処理機を提供できるようになる。【選択図】図１
2006102606.tif 000002
【特許請求の範囲】
【請求項１】
生ごみを収納する収納容器と、前記収納容器の上部開口を覆う蓋体と、前記収納容器内の生ごみを加熱する加熱手段と、前記収納容器を収納する本体と、前記蓋体内に回動可能に軸支され、前記本体に係止する尾錠体と、前記尾錠体の回動を止めるための電磁石とを設けた生ごみ処理機。
【請求項２】
本体の傾きを検知する角度検知手段を設け、前記角度検知手段により、本体が傾いたことを検知したときに、前記電磁石を介して尾錠体の回動を止める請求項１に記載の生ごみ処理機。
【請求項３】
角度検知手段は、下方に擂鉢状の傾斜を設けた筒体と、前記傾斜中心に設けたスイッチと、前記筒体内に設けられ前記スイッチを附勢する球体とを備える構成とした請求項２に記載の生ごみ処理機。
【請求項４】
収納容器内の温度を検知する温度検知手段を設け、収納容器内が高温のとき電磁石が尾錠体の回動を規制する請求項１〜３のいずれか１項に記載の生ごみ処理機。
【請求項５】
生ごみを収納する収納容器と、前記収納容器の上部開口を覆う蓋体と、前記収納容器内の生ごみを加熱する加熱手段と、前記収納容器を収納する本体と、前記蓋体内に回動可能に軸支され、前記本体に係止する尾錠体と、バイメタル体とを設け、前記加熱手段が高温になったとき、前記バイメタル体が変形し、前記尾錠体の回動を止める生ごみ処理機。
【請求項６】
生ごみを収納する収納容器と、前記収納容器の上部開口を覆う蓋体と、前記収納容器内の生ごみを加熱する加熱手段と、前記収納容器を収納する本体と、前記蓋体内に回動可能に軸支され、前記本体に係止する尾錠体と、熱膨張体とを設け、前記加熱手段が高温になったとき、前記熱膨張体が膨張し、前記尾錠体の回動を止める生ごみ処理機。
【発明の詳細な説明】
【技術分野】
【０００１】
本発明は、家庭やレストランの厨房で発生する生ごみを減量処理する生ごみ処理機に関するものである。
【背景技術】
【０００２】
従来、この種の生ごみ処理機は、図７に示す様な、生ごみの処理を行うたびに尾錠を回動させて蓋体を開け、収納部内の処理容器に生ごみを入れ、蓋体を閉めて処理を行うものが多かった（例えば、特許文献１参照）。
【０００３】
図において、３９は生ごみ処理機本体で、２１は処理容器、２４は生ごみを収納する収納部で、５は収納部２４を開閉自在に覆う蓋体である。処理容器２１の内部には、ごみを撹拌する撹拌手段が配され、その撹拌手段は回転モーターにより減速装置を介して駆動される。蓋体５には、生ごみを加熱するヒータ４が設けられ、さらにその前方には、回動可能に軸支された尾錠４４が設けられ、前記尾錠４４が本体３９と係止することで前記蓋体５が閉じた状態に保持される。
【０００４】
上記構成による、作用は以下の通りである。
【０００５】
生ごみを処理しようとするとき、処理容器２１に生ごみを投入し、尾錠４４を回動させて本体３９との係止を解除することで蓋体５を開け、前記収納容器２１を本体３９内の収納部２４に挿入し、その後蓋体５を閉じ、前記尾錠４４を本体３９に係止することで、前記蓋体５を固定する。
【０００６】
その後、本体３９の運転を開始すると、ヒータ４が通電され、乾燥処理を開始する。
【０００７】
さらに、回転モーターにより撹拌手段が回転し、収納容器２１内の処理中の生ごみを撹拌することで、投入した生ごみ全体の加熱乾燥処理を促進させる。
【０００８】
生ごみの乾燥が進み、発生する蒸気の量が減ってくると、乾燥が終了したものとして、ヒータ４への通電を停止し、収納容器２１内の温度が所定の温度以下になった時点で、最終的に本体３９の運転を停止する。
【特許文献１】特開２００２−１４３８０７号公報
【発明の開示】
【発明が解決しようとする課題】
【０００９】
しかしながら前記従来の生ごみ処理機においては、蓋体５は尾錠４４の係止だけで本体３９に固定されているため、生ごみ処理中の処理容器２１・収納部２４が高温状態で、かつ誤まって尾錠４４の係止を解除をしたとき等、内部の蒸気が漏れて周囲が暑くなる等の不具合が発生したり、また生ごみ処理中に本体を倒したとき等、衝撃で尾錠４４の係止が外れ、処理中の高温の処理物がこぼれる等の問題があった。
【００１０】
本発明は上記課題を解決するもので、処理中に誤って蓋体が開いたりすることが無く、異常時にも不具合の生じない生ごみ処理機を提供することを目的とする。
【課題を解決するための手段】
【００１１】
上記従来の課題を解決するために本発明の生ごみ処理機は、生ごみを収納する収納容器と、前記収納容器の上部開口を覆う蓋体と、前記収納容器内の生ごみを加熱する加熱手段と、前記収納容器を収納する本体と、前記蓋体内に回動可能に軸支され、前記本体に係止する尾錠体と、前記尾錠体の回動を止めるための電磁石とを設けたものであり、生ごみ処理機を倒したとき等にも、蓋体の開閉を固定する尾錠体の回動を電磁石の働きにより止めるため、尾錠の係止が外れて蓋体が開くことで、収納容器内部の蒸気が漏れて周囲が熱くなったり、処理中の高温の処理物がこぼれる等の不具合も生じず、周囲の環境を快適に保てるものである。
【発明の効果】
【００１２】
本発明の生ごみ処理機は、生ごみ処理中の収納容器内が高温のとき、蓋体が不用意に開かない様、本体に係止している尾錠体の回動を規制するため、蓋体が突然開いて内部の蒸気が漏れたり、内部の処理物が漏れたりすることがなく、周囲の環境を快適に保てる生ごみ処理機を提供することができる。
【発明を実施するための最良の形態】
【００１３】
第１の発明は、生ごみを収納する収納容器と、前記収納容器の上部開口を覆う蓋体と、前記収納容器内の生ごみを加熱する加熱手段と、前記収納容器を収納する本体と、前記蓋体内に回動可能に軸支され、前記本体に係止する尾錠体と、前記尾錠体の回動を止めるための電磁石とを設け、前記電磁石は、非通電時に尾錠体の回動を規制し、通電時に尾錠体の回動の規制を解除するものであり、生ごみの処理中に収納容器内が高温になるが、蓋体の開閉を固定する尾錠体の回動を、電磁石の働きにより止めるため、生ごみ処理機を倒したとき等に、不用意に尾錠の係止が外れて蓋体が開き、収納容器内部の蒸気が漏れて周囲が熱くなったり、処理中の高温の処理物がこぼれて撒き散らす等の不具合が生じず、周囲の環境を快適に保つことができる。
【００１４】
第２の発明は、本体の傾きを検知する角度検知手段を設け、本体が傾いたとき電磁石を介して尾錠体の回動を止めるものであり、生ごみの処理中や生ごみの投入時、本体が水平に置かれないと蓋体は開かないため、例えば生ごみを本体内に投入するときにも、必ず本体を水平に保つ必要があり、本体が斜めの為に転倒し生ごみを零したりすることが防止でき、より確実に機器を使用することができる。
【００１５】
第３の発明は、角度検知手段は、下方に擂鉢状の傾斜を設けた筒体と、前記傾斜中心に設けたスイッチと、前記筒体内に設けられ、前記スイッチを附勢する球体から構成されたものであり、本体が水平のときには、球体は擂鉢状の傾斜に沿って筒体の中心部に移動し、その下方にあるスイッチを附勢することで蓋体が開くことを可能にし、本体が傾いたときには、重力の作用で球体が筒体外周の内面まで移動するため、スイッチへの附勢を解除し、蓋体を開かなくすることができ、球体の簡単な動きで上記動作を行なうことができるため、より簡単に制御を行なうことができる。
【００１６】
第４の発明は、収納容器内の温度を検知する温度検知手段を設け、収納容器内が高温のとき電磁石が尾錠体の回動を規制するものであり、本体が熱いときには温度検知手段の働きにより、確実に蓋体を開かなくすることができ、より安心して生ごみ処理機を使用できる。
【００１７】
第５の発明は、生ごみを収納する収納容器と、前記収納容器の上部開口を覆う蓋体と、前記収納容器内の生ごみを加熱する加熱手段と、前記収納容器を収納する本体と、前記蓋体内に回動可能に軸支され、前記本体に係止する尾錠体と、バイメタル体とを設け、前記加熱手段が高温になったとき、前記バイメタル体が変形し、前記尾錠体の回動を止めるものであり、収納容器内部が熱いときには、バイメタル体が変形して尾錠体の回動を止め、収納容器内部が冷めたときには、バイメタル体が元の形状に戻り、尾錠体への規制を解除し、一連の動作をバイメタル体１部品で制御することができ、より確実・安価に機器が構成できる。
【００１８】
第６の発明は、生ごみを収納する収納容器と、前記収納容器の上部開口を覆う蓋体と、前記収納容器内の生ごみを加熱する加熱手段と、前記収納容器を収納する本体と、前記蓋体内に回動可能に軸支され、前記本体に係止する尾錠体と、熱膨張体とを設け、前記加熱手段が高温になったとき、前記熱膨張体が膨張し、前記尾錠体の回動を止めるものであり、収納容器内部が熱いときには、熱膨張体が膨張して尾錠体の回動を止め、収納容器内部が冷めたときには、熱膨張体が元の長さに戻り、尾錠体への規制を解除し、一連の動作を膨張体１部品で制御することができ、より確実・安価に機器が構成できる。
【００１９】
（実施の形態１）
以下、本発明の第１の実施の形態を、図１〜図２を用いて説明する。
【００２０】
図１〜図２は本発明の実施の形態における断面図であり、生ごみ処理機本体１内に設けられた収納容器２内に、処理容器３が挿入されており、その上方には、前記処理容器３内の生ごみを加熱・乾燥するため、加熱手段４が設けられた蓋体５が、開閉可能に被せられている。前記蓋体５は、本体１後方の配管６を回動中心として、本体１に対して回動可能に軸支されていると共に、その反対側では、回動可能に軸支した尾錠体７の先端を、本体１に対して係止することで、閉じた状態を保持する。
【００２１】
前記尾錠体７の係止が解除されたとき、前記蓋体５を開けることが可能となる。
【００２２】
前記尾錠体７上方には、非通電時に動作体８が伸びることで前記尾錠体７の回動動作を規制する電磁石９が設けられており、前記電磁石９近傍には、下方に擂鉢状の傾斜を設けた筒体１０と、前記筒体１０内を自由に移動する球体１１、及び前記筒体１０下方に設けられたスイッチ１２から構成された角度検知手段１３が設けられ、本体１が水平のときには、球体１１は擂鉢状の傾斜に沿って筒体１０の中心部に移動し、その下方にあるスイッチ１２を附勢することで電磁石９を制御し、尾錠体７の回動動作の規制を解除することにより、蓋体５を開けることを可能にする。
【００２３】
本体１が傾斜したときには、球体１１が重力の働きで筒体１０の内面まで移動し、スイッチ１２への附勢を解除することで電磁石９を制御し、尾錠体７の回動動作の規制することにより、蓋体５が閉まった状態で固定される。
【００２４】
また収納容器２内には、温度検知手段１４が設けられ、前記収納容器２内の温度を検知し、一定温度より低い状態を検知したときには、電磁石９を制御し、尾錠体７の回動動作の規制を解除することにより、蓋体５を開けることを可能にし、逆に一定温度より高い状態を検知したときには、電磁石９を制御し、尾錠体７の回動動作の規制することにより、蓋体５が閉まった状態で固定されるように構成されている（実施の形態１の構成）。
【００２５】
以上のように構成された生ごみ処理機において、以下その動作、作用を説明する。
【００２６】
台所での調理中などに発生した生ごみを処理するため、生ごみ処理機本体１を、収納容器２内の温度が低く、かつ水平に置いた状態で通電させ、電磁石９を通電させることで、尾錠体７を回動可能な状態に出来る。
【００２７】
前記尾錠７を回動させ、本体１との係止を解除することで、蓋体５を配管６を回転中心として開けることができ、その後収納容器２内の処理容器３に、処理を行なう生ごみを投入する。それから蓋体５を閉め、加熱手段４で生ごみを加熱乾燥させるが、この状態で誤って本体１を傾斜させたときにも、角度検知手段１３の球体１１が、スイッチ１２への附勢を解除することで、電磁石９を制御し、尾錠体７の回動動作の規制することにより、蓋体５が閉まった状態で固定され、投入した生ごみが零れる等の不具合が防止できる。
【００２８】
さらに投入した生ごみを加熱乾燥させるため、加熱手段４で生ごみを加熱乾燥させると、収納容器２内部の温度が上昇し、温度検知手段１４が一定温度より高い温度を検知したとき、電磁石９を制御し、尾錠体７の回動動作を規制することにより、蓋体５が閉まった状態で固定され、不用意に蓋体５を開けることによる、水蒸気の拡散等を防止することができる。
【００２９】
（実施の形態２）
次に、本発明の第２の実施の形態を、図３〜図４を用いて説明する。なお、第１の実施の形態と同一構成部品には同一符号を付与し、その説明を省略する。
【００３０】
図３〜図４は本発明の実施の形態における断面図であり、蓋体５内にバイメタル体１５が設けられ、加熱手段４にて加熱されたとき、前記バイメタル体１５は高温になることで下方向に湾曲して変形し、尾錠体７の回動動作を阻止することで、蓋体５が開かないように規制することができる。
【００３１】
またバイメタル体１５上方に、前記バイメタル体１５の加熱を行なう専用のバイメタル体加熱手段１６を設け、即座にバイメタル体１５を加熱することにより、直に蓋体５が開かないように規制することができるとともに、さらに加熱手段４近傍とバイメタル体１５を連結する熱伝導手段１７を設けることで、加熱手段４の熱を瞬時にバイメタル体１５に伝導することができる。
【００３２】
また蓋体５内側には、加熱手段４から発生する熱を収納容器２内に拡散するためのファン１８が設けられ、前記ファン１８を回転させることにより、同時に加熱手段４の熱風を直接バイメタル体１５に当てることもでき、より即座にバイメタル体１５の加熱及び変形を促進できるように構成されている（実施の形態２の構成）。
【００３３】
以上のように構成された生ごみ処理機において、以下その動作、作用を説明する。
【００３４】
台所での調理中などに発生した生ごみを処理するため、生ごみ処理機本体１を、収納容器２内の温度が低い状態にしたとき、尾錠体７を回動可能な状態にすることができる。
【００３５】
前記尾錠７を回動させ、本体１との係止を解除することで、蓋体５を配管６を回転中心として開けることができ、その後収納容器２内の処理容器３に、処理を行なう生ごみを投入する。それから蓋体５を閉め、加熱手段４で生ごみを加熱乾燥させるが、このとき収納容器２内部の温度が上昇し、バイメタル体１５が高温になることで下方向に湾曲し、尾錠体７の回動動作を阻止することで、蓋体５が閉まった状態で固定され、不用意に蓋体５を開けることによる、水蒸気の拡散を防止することができる。
【００３６】
またバイメタル体１５上方に、前記バイメタル体１５の加熱を行なう専用のバイメタル体加熱手段１６を設けた場合においては、本体１を通電して即座にバイメタル体１５が加熱されるため、素早く確実に蓋体５の固定が行えると共に、加熱手段４近傍とバイメタル体１５を連結する熱伝導手段１７を設けること、或いは、ファン１８の風にて加熱手段４の熱をバイメタル体１５に当てることで、より加熱手段４の熱をバイメタル体１５に伝導しやすくでき、より瞬時かつ確実に蓋体５の固定が行える。
【００３７】
さらに生ごみの処理が終了し、収納容器２内の温度が低い状態になったときには、バイメタル体１５は自動的に加熱前の形状に戻り、尾錠体７を回動可能な状態に出来る。
【００３８】
（実施の形態３）
次に、本発明の第３の実施の形態を、図５〜図６を用いて説明する。なお、第１の実施の形態と同一構成部品には同一符号を付与し、その説明を省略する。
【００３９】
図５は本発明の実施の形態における断面図であり、蓋体５内に熱膨張体１９が設けられ、加熱手段４にて加熱されたとき、前記熱膨張体１９は高温になることで長く膨張し、尾錠体７の回動動作を阻止することで、蓋体５が開かないように規制することができる  （実施の形態３の構成）。
【００４０】
以上のように構成された生ごみ処理機において、以下その動作、作用を説明する。
【００４１】
台所での調理中などに発生した生ごみを処理するため、生ごみ処理機本体１を、収納容器２内の温度が低い状態にしたとき、尾錠体７を回動可能な状態に出来る。
【００４２】
前記尾錠７を回動させ、本体１との係止を解除することで、蓋体５を配管６を回転中心として開けることができ、その後収納容器２内の処理容器３に、処理を行なう生ごみを投入する。それから蓋体５を閉め、加熱手段４で生ごみを加熱乾燥させるが、このとき収納容器２内部の温度が上昇し、熱膨張体１９が高温になることで膨張し、尾錠体７の回動動作を阻止することで、蓋体５が閉まった状態で固定され、不用意に蓋体５を開けることによる、水蒸気の拡散を防止することができる。
【００４３】
さらに生ごみの処理が終了し、収納容器２内の温度が低い状態になったときには、熱膨張体１９は自動的に加熱前の長さに戻り、尾錠体７を回動可能な状態に出来る。
【産業上の利用可能性】
【００４４】
以上のように、本発明にかかる生ごみ処理機によれば、蓋体内に設けた電磁石の働きにより、蓋体の開閉を係止している尾錠体の動きを規制し、蓋体が不用意に開くことが防止でき、構造が簡単で故障の少なく、また清潔で使いやすく、安価な機器が構成できるため、家庭やレストランの厨房から排出される生ごみの処理に極めて有用である。
【図面の簡単な説明】
【００４５】
【図１】本発明の実施の形態１を示す生ごみ処理機の断面図
【図２】同生ごみ処理機の要部を示す断面図
【図３】本発明の実施の形態２を示す生ごみ処理機の断面図
【図４】同生ごみ処理機の要部を示す断面図
【図５】本発明の実施の形態３を示す生ごみ処理機の断面図
【図６】同生ごみ処理機の要部を示す断面図
【図７】従来の生ごみ処理機の断面図
【符号の説明】
【００４６】
１  本体
２  収納容器
４  ヒータ（加熱手段）
５  蓋体
７  尾錠体
９  電磁石
１０  筒体
１１  球体
１２  スイッチ
１３  角度検知手段
１４  温度検知手段
１５  バイメタル体
１６  バイメタル体加熱手段
１７  熱伝導手段
１８  ファン
１９  熱膨張体
【図１】
2006102606.tif 000003
【図２】
2006102606.tif 000004
【図３】
2006102606.tif 000005
【図４】
2006102606.tif 000006
【図５】
2006102606.tif 000007
【図６】
2006102606.tif 000008
【図７】
2006102606.tif 000009